(57)【要約】      （修正有）【課題】家庭用のチュウブ入り製品のほとんどのサイズや材質に合い、ワンタッチで搾り用具に取り付けや取り外しができ、チュウブの皮の厚さに搾り用具がフィトし、無駄なくスムーズにチュウブの中身を搾り出すことのできるチュウブ入り製品中身搾り付きケースと用具の提供。【解決手段】ある程度硬めで弾力のある材質で創り、ワンタッチでチュウブ入り製品を取り付けることができるように、チュウブ搾り溝２を創り、ほとんどのチュウブの皮の厚さにフィトさせるために、搾り溝２の幅を、チュウブの皮の薄いサイズほどにし、搾り溝２の両端にチュウブ厚さ調節溝３を創り、スムーズに中身を搾ることができるように、搾り溝２とチュウブとの接触面積を小さくし、チュウブ製品を安定させるために、チュウブ安定溝４を創り、安定溝４の側面をＶ字傾斜にし、搾られた長めのチュウブをまとめるためのチュウブ押さえ部６を創った。【選択図】図１
2011157129.tif 000002
【特許請求の範囲】
【請求項１】
図１において、本発明品の材質をあるていど硬く弾力のある材質で創り、チューブ入り製品をワンタッチで搾り用具（１）にセットできるように、チュウブ搾り溝（２）を創り、ほとんどのチュウブの皮の厚さにフィトさせるために、搾り溝（２）の幅をチュウブの皮の薄いサイズに合わせ細くし、皮の厚いチュウブにフィトさせるために、搾り溝（２）の両端にチュウブ厚さ調節溝（３）を創る。そして、スムーズに搾ることができるように、チュウブと搾り溝（２）の接触面積を小さくし摩擦抵抗を減らす構造にする。そして搾り溝（２）だけでつながっているチュウブ製品を安定させるために、チュウブ安定溝（４）を創り、搾られたチュウブが安定溝（４）に入るように安定溝（４）の側面をＶ字傾斜（５）にする。そして搾られた長めのチュウブをまとめるためのチュウブ押さえ部（６）を設ける。
以上のようにできたチュウブ入り製品中身搾り用具付きケース。
【請求項２】
図３において、請求項１のチュウブ入り製品中身搾り用具（１）をケース（７）から離し、チュウブ入れケースに掛けるケース掛け部（８）を設け、ケースに掛けたり外したりできるようにしたチュウブ入り製品中身搾り用具。
【発明の詳細な説明】
【技術分野】
【０００１】  本発明は、一般家庭用チュウブ入り製品（ハミガキ・化粧品・ヘアクリームなど）の中身搾り付きケースと用具に関するものである。
【背景技術】
【０００２】  従来、中身の少なくなったチュウブ入り製品の搾り用具はいくつかありました。
【発明の概要】
【発明が解決しようとする課題】
【０００３】  しかしそれは、次のような問題点があった。
（ア）特定の商品専用のもので、ほとんどのチュウブ入り製品のチュウブの種類（長い、短い、厚い、薄いもの）と材質（硬い、軟らかいもの）によっては使用できないものが多いこと。
（イ）ほとんどのチュウブ入り製品に使用できるが、チュウブが硬めで皮の厚いものには用具がチュウブにフィトせずにスムーズに搾ることができないものだった。【０００４】  本発明は上記（ア）（イ）の問題点を解決して、次のことを課題にしたものである。
（ウ）ワンタッチで簡単に搾り用具に取り付け取り外しができ、家庭用のほとんどのチュ      ウブ入り製品に使用することができること。
（エ）ほとんどのチュウブの皮の厚さにフィトすること。
（オ）ほとんどのチュウブの種類（長い、短い、厚い、薄いもの）や材質（硬めや、柔ら      かめのもの）に合いスムーズに無駄なく簡単に搾ることができ、使用しやすいよう      にすること。
【課題を解決すための手段】
【０００５】  この課題を解決するために試作品を何度も創り実験を繰り返した結果、チュウブ入り製品をワンタッチで簡単に搾り用具（１）にセットすることができるように、搾り溝（２）を創り、チュウブ入り製品の下部から搾り溝（２）にワンタッチで差し込んで装着することができるようにした。
【０００６】  次にほとんどのチュウブの皮の厚さにフィトさせるために、用具（１）の材質をある程度硬く弾力のある材質を使用し、搾り溝（２）の幅をチュウブの皮の薄いサイズに合わせ細くし、搾り溝（２）の両端にチュウブ厚さ調節溝（３）を創れば、用具の材質の弾力効果により、ほとんどのチュウブの厚さにフィトすることができるようになった。
【０００７】  次にスムーズにチュウブの中身を搾り出すために、搾り溝（２）とチュウブの接触面積を少なくし、チュウブと搾り溝（２）の接触摩擦を減らすことによって、スムーズにチュウブの中身を搾り出すことがでるようにした。
【０００８】  次に搾り溝（２）だけでつながっているチュウブ製品を安定させるために、チュウブ安定溝（４）を創り、搾られたチュウブを安定溝（４）に入りやすくするために、安定溝（４）の側をＶ字傾斜（５）にした。この傾斜によってチュウブを自動的に安定溝（４）に入れることができ、チュウブ製品と搾り用具（１）を安定させることができた。また、搾られた長めのチュウブをまとめるために、チュウブ押さえ部（６）を設けた。
以上の構成でできたチュウブ入り製品中身搾り付きケースと用具である。
【発明の効果】
【０００９】  本発明は以上の構成だから、家庭用のほとんどのチュウブ入り製品に適用し使用することができる。そしてこれを使用するときは、チュウブ入り製品の下部からワンッタチで搾り溝（２）に差し込んで搾り用具（１）にセットすればよい。そしてチュウブの中身を出すときは、チュウブの上部を指で少しずつ押せばスムーズにチュウブの中身を搾り出すことができる。またほとんどのチュウブの皮の厚さにフィトするから、チュウブの中身をむだなくスムーズに搾ることができる。またチュウブを外すときはワンタッチで引き抜けばよい。
【発明を実施するための最良の形態】
【００１０】  以下、本発明の実施例にについて説明する。
図１において、材質をある程度硬めで弾力のある材質を使用して創る。ワンタッチで取り付けられるように、搾り溝（２）を創る。ほとんどのチュウブの厚さに対応できるように、搾り溝（２）の幅を薄いチュウブの皮ほど細くし、両端にチュウブの厚さ調節溝（３）を創る。そしてスムーズに搾るために、搾り溝（２）とチュウブの接触面積を小さくする構造にする（図２の２参考）。次に搾り溝（２）だけでつながっているチュウブを安定させるために、チュウブ安定溝（４）を創り、安定溝（４）の側をＶ字傾斜（５）にする。そして搾られた長いチュウブをまとめるチュウブ押さえ部（６）を設ける。以上の構成でできたチュウブ入り製品中身搾り付きケースと用具（図１）。【００１１】  図３において、チュウブ搾り用具（１）をケース（７）から離し、チュウブ搾り用具（１）だけにし、チュウブ入れケースに掛けたり取り外したりできるように、ケース掛け部（８）を設けたチュウブ搾り用具を創る。これは、本発明品ケースの側に取り付ける付属品（図５参考）だが、他のケースにも取り付けて利用もできる。【００１２】  また、図３の搾り用具（１）において、チュウブ押さえ部（６）に吸盤を付けることができるように創り、鏡や壁に付けられるようにしてもよい。またチュウブ押さえ部（６）とケース掛け部（８）は同じ役目をすることができる。またチュウブ搾り用具（１）を他のケースのデザインケースに付けてもよい。
【産業上の利用可能性】
【００１３】    本発明に係るチュウブ入り製品の中身搾り付きケースと用具は、工業的に量産する事  が可能であるため、産業上の利用可能性を有する。
【図面の簡単な説明】
【００１４】
【図１】本発明の斜視図である。
【図２】図１のＡ−Ｂ線断面図である。
【図３】ケースに掛けるようにした本発明の斜視図である。
【図４】図３のＣ−Ｄ線断面図である。
【図５】使用状態参考図
【符号の説明】
【００１５】（１）チュウブ入り製品中身搾り用具
（２）チュウブ搾り溝
（３）チュウブの皮の厚さ調節溝
（４）チュウブと用具の安定溝
（５）チュウブを安定溝に入れるためのＶ字傾斜
（６）長めのチュウブ押さえ部
（７）チュウブ入り製品中身搾り用具付ケース
（８）ケース掛け部
【図１】
2011157129.tif 000003
【図２】
2011157129.tif 000004
【図３】
2011157129.tif 000005
【図４】
2011157129.tif 000006
【図５】
2011157129.tif 000007
【手続補正書】
【提出日】平成23年2月7日(2011.2.7)
【手続補正１】
【補正対象書類名】特許請求の範囲
【補正対象項目名】請求項１
【補正方法】変更
【補正の内容】
【請求項１】
（ア）図１において、チュウブ入り製品をワンタッチで搾り用具（１）にセットできるように、チュウブ搾り溝（２）を創る。
（イ）市販されているほとんどのチュウブ入り製品のチュウブの皮の厚さに対応し、搾り溝（２）がチュウブの皮の厚さにフィトするように、搾り溝（２）の両端にチュウブ厚み調節溝（３）を創る。
（ウ）搾り溝（２）に挟まれてつながっている搾られたチュウブを安定させるために、チュウブ製品の安定溝（４）を創る。
以上のようにできたチュウブ入り製品中身搾り用具付きケース。